(57)【特許請求の範囲】
【請求項１】
各々が複数のＬＥＤチップを備える複数のＬＥＤユニットと、
上記複数のＬＥＤユニットが接続されており、かつ、上記複数のＬＥＤユニットを識別するためのＩＤが割り振られた複数のユニットグループに区別して認識するとともに、上記各ユニットグループごとの点灯制御を行うコントローラと、
上記複数のユニットグループの点灯制御に用いられる出力信号を上記コントローラに対して出力する１以上のセンサと、
を備えるとともに、
上記複数のユニットグループは、上記ＩＤによって互いの順列が与えられており、
２つの上記センサを備えており、
上記コントローラは、一方の上記センサからの出力信号を受けると上記順列における最上位の上記ユニットグループから順に上記複数のユニットグループを点灯させ、他方の上記センサからの出力信号を受けると上記順列における最下位の上記ユニットグループから順に上記複数のユニットグループを点灯させ、かつ、
上記コントローラは、上記２つのセンサのいずれかからの出力信号によって上記複数のユニットグループの点灯を開始した以降、上記複数のユニットグループを消灯するまでの間、このセンサからの新たな出力信号を点灯制御に利用しない通常モードと、上記２つのセンサのいずれかからの出力信号によって上記複数のユニットグループの点灯を開始した以降、上記複数のユニットグループを消灯するまでの間、このセンサからの新たな出力信号を受けると、上記複数のユニットグループを即座に消灯させた後に点灯制御を再開するデモモードとを有することを特徴とする、ＬＥＤ照明システム。
【請求項２】
上記複数のユニットグループは、上記順列において上位にあるものほど階段の上段側の踏板に設けられ、上記順列において下位にあるものほど階段の下段側の踏板に設けられている、請求項１に記載のＬＥＤ照明システム。
【請求項３】
上記複数のユニットグループは、上記順列において下位にあるものほど階段の上段側の踏板に設けられ、上記順列において上位にあるものほど階段の下段側の踏板に設けられている、請求項１に記載のＬＥＤ照明システム。
【請求項４】
上記コントローラは、上記各ユニットグループを点灯させるときの点灯速度を調節可能である、請求項１ないし３のいずれかに記載のＬＥＤ照明システム。
【請求項５】
上記コントローラは、上記順列において隣り合う２つの上記ユニットグループの点灯開始時間差を調節可能である、請求項１ないし４のいずれかに記載のＬＥＤ照明システム。
【請求項６】
上記コントローラは、上記各ユニットグループを消灯させるときの消灯速度を調節可能である、請求項１ないし５のいずれかに記載のＬＥＤ照明システム。
【請求項７】
上記コントローラは、上記各ユニットグループの最大照度を調節可能である、請求項１ないし６のいずれかに記載のＬＥＤ照明システム。
【請求項８】
上記コントローラは、上記最上位および最下位のいずれかのユニットグループの点灯を開始した以降、上記複数のユニットグループのすべてが点灯状態となるまで、点灯された上記各ユニットグループの点灯状態を維持する、請求項１ないし７のいずれかに記載のＬＥＤ照明システム。
【請求項９】
上記コントローラは、上記複数のユニットグループのすべてが点灯状態となった時点から消灯を開始するまでの全点灯維持時間を調節可能である、請求項８に記載のＬＥＤ照明システム。
【請求項１０】
さらに追加のセンサを備えている、請求項１ないし９のいずれかに記載のＬＥＤ照明システム。
【請求項１１】
上記コントローラは、上記追加のセンサからの出力信号を受けると、上記複数のユニットグループのうち上記順列における最上位および最下位以外のいずれかの点灯を開始する、請求項１０に記載のＬＥＤ照明システム。
【請求項１２】
上記追加のセンサの出力信号は、無線によって上記コントローラに送られる、請求項１０に記載のＬＥＤ照明システム。
【発明の詳細な説明】
【技術分野】
【０００１】
本発明は、たとえば階段照明に用いられるＬＥＤ照明システムに関する。
【背景技術】
【０００２】
図１０は、階段照明に用いられる従来のＬＥＤ照明システムの一例を示している（たとえば特許文献１参照）。同図に示されたＬＥＤ照明システムＸは、複数のＬＥＤユニット９１を備えている。各ＬＥＤユニット９１は、階段Ｓｔの踏板Ｐｓの先端、あるいは蹴込板Ｐｋの上部に取り付けられている。たとえば、夕方以降などの比較的暗い時間帯には、ＬＥＤユニット９１が点灯することにより、踏板Ｐｓを照らす。これにより、階段Ｓｔを昇降する人が誤って転倒することを抑制することができる。
【０００３】
しかしながら、たとえば一般の住居においては、人が階段を昇降する頻度はそれほど高くない。人が往来しない間にＬＥＤユニット９１を点灯させると、それに要するエネルギーは無駄に消費されることとなる。また、階段を昇降する人は、今まさに自身が足を掛けようとする踏板Ｐｓあるいは蹴込板Ｐｋに注目するが、それ以外の踏板Ｐｓや蹴込板Ｐｋにはほとんど目を向けることが無い。これらの注目されていない踏板Ｐｓや蹴込板Ｐｋを照らすエネルギーも、やはり無駄であるといえる。
【先行技術文献】
【特許文献】
【０００４】
【特許文献１】特開２００１−２２９７２９号公報
【発明の概要】
【発明が解決しようとする課題】
【０００５】
本発明は、上記した事情のもとで考え出されたものであって、階段などの照明対象を適切に照らしつつ、エネルギー低減を図ることが可能なＬＥＤ照明システムを提供することをその課題とする。
【課題を解決するための手段】
【０００６】
本発明によって提供されるＬＥＤ照明システムは、各々が複数のＬＥＤチップを備える複数のＬＥＤユニットと、上記複数のＬＥＤユニットが接続されており、かつ、上記複数のＬＥＤユニットを識別するためのＩＤが割り振られた複数のユニットグループに区別して認識するとともに、上記各ユニットグループごとの点灯制御を行うコントローラと、上記複数のユニットグループの点灯制御に用いられる出力信号を上記コントローラに対して出力する１以上のセンサと、を備えることを特徴としている。
【０００７】
このような構成によれば、たとえば階段を昇降する人がやってきたときにのみ、上記複数のＬＥＤユニットを点灯させればよく、階段を昇降する人がいない間は、上記複数のＬＥＤユニットを消灯状態としておくことができる。これにより、たとえば夕方から夜間にかけての比較的暗い時間帯に上記複数のＬＥＤユニットを常時点灯させておく必要がない。したがって、たとえば階段を昇降する人が誤って転倒しないように適切に階段を照らしつつ、エネルギー消費を削減することができる。
【０００８】
本発明の好ましい実施の形態においては、上記複数のユニットグループは、上記ＩＤによって互いの順列が与えられている。
【０００９】
本発明の好ましい実施の形態においては、上記複数のユニットグループは、上記順列において上位にあるものほど階段の上段側の踏板に設けられ、上記順列において下位にあるものほど階段の下段側の踏板に設けられている。
【００１０】
本発明の好ましい実施の形態においては、上記複数のユニットグループは、上記順列において下位にあるものほど階段の上段側の踏板に設けられ、上記順列において上位にあるものほど階段の下段側の踏板に設けられている。
【００１１】
本発明の好ましい実施の形態においては、２つの上記センサを備えており、上記コントローラは、一方の上記センサからの出力信号を受けると上記順列における最上位の上記ユニットグループから順に上記複数のユニットグループを点灯させ、他方の上記センサからの出力信号を受けると上記順列における最下位の上記ユニットグループから順に上記複数のユニットグループを点灯させる。
【００１２】
本発明の好ましい実施の形態においては、上記コントローラは、上記各ユニットグループを点灯させるときの点灯速度を調節可能である。
【００１３】
本発明の好ましい実施の形態においては、上記コントローラは、上記順列において隣り合う２つの上記ユニットグループの点灯開始時間差を調節可能である。
【００１４】
本発明の好ましい実施の形態においては、上記コントローラは、上記各ユニットグループを消灯させるときの消灯速度を調節可能である。
【００１５】
本発明の好ましい実施の形態においては、上記コントローラは、上記各ユニットグループの最大照度を調節可能である。
【００１６】
本発明の好ましい実施の形態においては、上記コントローラは、上記最上位および最下位のいずれかのユニットグループの点灯を開始した以降、上記複数のユニットグループのすべてが点灯状態となるまで、点灯された上記各ユニットグループの点灯状態を維持する。
【００１７】
本発明の好ましい実施の形態においては、上記コントローラは、上記複数のユニットグループのすべてが点灯状態となった時点から消灯を開始するまでの全点灯維持時間を調節可能である。
【００１８】
本発明の好ましい実施の形態においては、上記コントローラは、上記２つのセンサのいずれかからの出力信号によって上記複数のユニットグループの点灯を開始した以降、上記複数のユニットグループを消灯するまでの間、このセンサからの新たな出力信号を点灯制御に利用しない通常モードと、上記２つのセンサのいずれかからの出力信号によって上記複数のユニットグループの点灯を開始した以降、上記複数のユニットグループを消灯するまでの間、このセンサからの新たな出力信号を受けると、上記複数のユニットグループを即座に消灯させた後に点灯制御を再開するデモモードとを有する。
【００１９】
本発明の好ましい実施の形態においては、さらに追加のセンサを備えている。
【００２０】
本発明の好ましい実施の形態においては、上記コントローラは、上記追加のセンサからの出力信号を受けると、上記複数のユニットグループのうち上記順列における最上位および最下位以外のいずれかの点灯を開始する。
【００２１】
本発明の好ましい実施の形態においては、上記追加のセンサの出力信号は、無線によって上記コントローラに送られる。
【００２２】
本発明のその他の特徴および利点は、添付図面を参照して以下に行う詳細な説明によって、より明らかとなろう。
【図面の簡単な説明】
【００２３】
【図１】本発明の第１実施形態に基づくＬＥＤ照明システムを示す全体概略図である。
【図２】図１に示すＬＥＤ照明システムのシステム構成図である。
【図３】図１に示すＬＥＤ照明システムのＬＥＤユニットを示す平面図である。
【図４】図３のＩＶ−ＩＶ線に沿う断面図である。
【図５】図１に示すＬＥＤ照明システムの通常モードにおける点灯制御の一例を示すタイミングチャートである。
【図６】図１に示すＬＥＤ照明システムの通常モードにおける点灯制御の他の例を示すタイミングチャートである。
【図７】図１に示すＬＥＤ照明システムのデモモードにおける点灯制御の一例を示すタイミングチャートである。
【図８】本発明の第２実施形態に基づくＬＥＤ照明システムを示すシステム構成図である。
【図９】本発明の第３実施形態に基づくＬＥＤ照明システムを示すシステム構成図である。
【図１０】従来のＬＥＤ照明システムの一例を示す全体概略図である。
【発明を実施するための形態】
【００２４】
以下、本発明の好ましい実施の形態につき、図面を参照して具体的に説明する。
【００２５】
図１および図２は、本発明の第１実施形態に基づくＬＥＤ照明システムを示している。本実施形態のＬＥＤ照明システムＡ１は、複数のＬＥＤユニットＢ１〜Ｂ９、タッチセンサ５Ａ，５Ｂ、およびコントローラ７を備えている。ＬＥＤ照明システムＡ１は、たとえば住居の階段Ｓｔの照明に用いられる。
【００２６】
ＬＥＤユニットＢ１〜Ｂ９は、図１に示すように各々が階段Ｓｔの踏板Ｐｓに取り付けられており、コントローラ７に接続されている。ＬＥＤユニットＢ１〜Ｂ９は、本実施形態においてはすべて同一の仕様とされており、ＬＥＤユニットＢ１を例とすると、図３および図４に示すように、ケース１、基板２、複数のＬＥＤモジュール３、および拡散板４を備えている。なお、図３においては理解の便宜上拡散板４を省略している。
【００２７】
ケース１は、全体に細長状であり、断面略コの字状とされており、たとえば樹脂、あるいはアルミからなる。ケース１は、基板２および拡散板４を保持している。ケース１の１対の側板は、一方が他方よりも幅（図４における紙面上下方向寸法）が大とされており、幅が小さいものが蹴込板Ｐｋに対して近い側に、幅が大きいものが蹴込板Ｐｋに対して遠い側に配置されている。
【００２８】
基板２は、細長矩形状とされており、たとえば熱伝導率が比較的高いフィラーが混入されたガラスエポキシ樹脂からなる。基板２には、複数のＬＥＤモジュール３がたとえば一列に等ピッチで実装されている。
【００２９】
複数のＬＥＤモジュール３は、ＬＥＤユニットＢ１〜Ｂ９の光源であり、ＬＥＤベアチップを備えている。より具体的には、各ＬＥＤモジュール３は、上記ＬＥＤベアチップが搭載された基板あるいはリードと、上記ＬＥＤベアチップを覆う透光樹脂とを備えており、適宜上記透光樹脂を囲む樹脂ケースが設けられている。上記ＬＥＤベアチップは、たとえばＧａＮ系半導体からなり、たとえば青色光を発する。上記透光樹脂は、たとえば透明なシリコーン樹脂あるいはエポキシ樹脂に蛍光材料が混入された材質からなる。この蛍光材料は、上記ＬＥＤベアチップからの青色光によって励起されることにより、たとえば黄色光を発する。ＬＥＤモジュール３は、青色光と黄色光とを混色させることにより、白色、あるいは電球色の光を発光可能とされている。本実施形態においては、ＬＥＤモジュール３は、電球色の光を発する。
【００３０】
拡散板４は、たとえば乳白色の半透明な樹脂からなり、複数のＬＥＤモジュール３からの光を拡散させつつ透過させる。これにより、ＬＥＤユニットＢ１〜Ｂ９からは、比較的柔らかな印象を抱かせる光が照射される。本実施形態においては、ケース１が上述した姿勢で取り付けられていることにより、拡散板４は、若干蹴込板Ｐｋ側を向くように傾いている。
【００３１】
タッチセンサ５Ａ，５Ｂは、階段Ｓｔの最下段あるいは最上段に人がやってきたことを検出するためのものであり、それぞれ電極５１Ａ，５１Ｂを有している。電極５１Ａは、手すりＨｒの下端に取り付けられており、電極５１Ｂは、手すりＨｒの上端に取り付けられている。人が電極５１Ａ，５１Ｂに触れると、それぞれに対応するタッチセンサ５Ａ，５Ｂから検出信号Ｓ１，Ｓ２が出力される。
【００３２】
コントローラ７は、複数のＬＥＤユニットＢ１〜Ｂ９の発光制御を行うためのものであり、主制御部７１、複数の副制御部７２、および入出力部としての複数のコネクタ７３を備えている。コントローラ７には、複数のコネクタ７３を介して、複数のＬＥＤユニットＢ１〜Ｂ９、およびタッチセンサ５Ａ，５Ｂが接続されている。また、コントローラ７は、たとえば図示されたＡＣ／ＤＣ変換器を介して直流電力が供給される。
【００３３】
主制御部７１には、複数のＬＥＤユニットＢ１〜Ｂ９の点灯プログラムが組み込まれており、タッチセンサ５Ａ，５Ｂからの検出信号Ｓ１，Ｓ２を受けることにより、ＬＥＤユニットＢ１〜Ｂ９の点灯状態について、複数の副制御部７２に対して個別に指令を送る。複数の副制御部７２は、ＬＥＤユニットＢ１〜Ｂ９に対して一対一対応するように設けられており、たとえばＬＥＤユニットＢ１〜Ｂ９のＬＥＤモジュール３の点灯制御を行うＬＥＤドライバを有している。
【００３４】
本実施形態においては、複数の副制御部７２に対して独立に接続された複数のＬＥＤユニットＢ１〜Ｂ９のそれぞれが、本発明で言うユニットグループを構成している。言い換えると、本実施形態においては、各ユニットグループには、複数のＬＥＤユニットＢ１〜Ｂ９のいずれか１つのみが属している。このような構成と異なり、１つの副制御部７２に複数のＬＥＤユニットＢ１〜Ｂ９を接続することにより、上記ユニットグループに複数のＬＥＤユニットが属する構成としてもよい。
【００３５】
次に、コントローラ７による複数のＬＥＤユニットＢ１〜Ｂ９の点灯制御について図５〜図７を参照しつつ以下に説明する。
【００３６】
コントローラ７は、複数のＬＥＤユニットＢ１〜Ｂ９の点灯制御について、通常モードとデモモードとの２つのモードを有している、図５および図６は、通常モードでの点灯制御を示しており、図７は、デモモードでの点灯制御を示している。
【００３７】
主制御部７１には、ＬＥＤユニットＢ１〜Ｂ９を点灯させるための調整可能なパラメータがあらかじめ設定されている。具体的には、点灯時間Ｔｏｎ、点灯間隔時間Ｔｉｎ、点灯継続時間Ｔｃｏ、消灯時間Ｔｏｆ、および最大照度Ｌｍａｘである。点灯時間Ｔｏｎは、ＬＥＤユニットＢ１〜Ｂ９の照度Ｌ１〜Ｌ９が０からＬｍａｘになるまでの時間である。点灯間隔時間Ｔｉｎは、ＬＥＤユニットＢ１〜Ｂ９のいずれかが点灯を開始してから、ＬＥＤユニットＢ１〜Ｂ９のうちその次に点灯すべきものが点灯を開始するまでの時間である。点灯継続時間Ｔｃｏは、すべてのＬＥＤユニットＢ１〜Ｂ９が点灯した後に、消灯を開始するまでの時間である。消灯時間Ｔｏｆは、照度Ｌ１〜Ｌ９がＬｍａｘから０になるまでの時間である。最大照度Ｌｍａｘは、ＬＥＤユニットＢ１〜Ｂ９のＬＥＤモジュール３が本来有する最大照度に対して任意の割合を乗じた照度である。
【００３８】
また、消灯については、消灯時間Ｔｏｆの間、一定の割合で照度Ｌ１〜Ｌ９を減じるのではなく、照度減少の割合を徐々に小としている。具体的には、照度Ｌ１〜Ｌ９を最大照度Ｌｍａｘの５％となるまで消灯させたのちに、最大照度Ｌｍａｘの１％まで、０．１％までと、段階的に徐々に減少割合を小さくしている。これにより、完全に消灯する直前に突然光が消えてしまうといった印象ではなく、スムーズな印象を抱かせる消灯を実現している。
【００３９】
図５に示すように、コントローラ７は、タッチセンサ５Ａ，５Ｂからの検出信号Ｓ１，Ｓ２に基づいて、ＬＥＤユニットＢ１〜Ｂ９の照度Ｌ１〜Ｌ９を制御する。まず、時刻ｔ１において、図１における階段Ｓｔを登ろうとする人が手すりＨｒの下端に設けられた電極５１Ａに触れると、タッチセンサ５Ａから検出信号Ｓ１がコントローラ７へと送られる。すると、主制御部７１は、ＬＥＤユニットＢ１〜Ｂ９のうち最も下位であるＬＥＤユニットＢ１が接続された副制御部７２に対してＬＥＤユニットＢ１を点灯させるべく指令を送る。そして、ＬＥＤユニットＢ１は、時刻ｔ１から点灯を開始し、点灯時間Ｔｏｎが経過した後に照度Ｌ１が最大照度Ｌｍａｘとなる。
【００４０】
また、ＬＥＤユニットＢ１が点灯開始した時刻ｔ１から点灯間隔時間Ｔｉｎが経過すると、主制御部７１は、次に点灯されるべきＬＥＤユニットＢ２が接続された副制御部７２に対して点灯の指令を送る。すると、ＬＥＤユニットＢ２は、点灯を開始し、照度Ｌ２が点灯時間Ｔｏｎ後に最大照度Ｌｍａｘとなる。この順次点灯制御をＬＥＤユニットＢ１〜Ｂ９に対してこれらの順列にしたがって行う。点灯間隔時間Ｔｉｎを人が階段Ｓｔを一段昇るのに要する程度の時間に設定しておけば、人が昇ることに合わせて階段Ｓｒの最下段から最上段に向かってＬＥＤユニットＢ１〜Ｂ９が順次点灯する。
【００４１】
そして、時刻ｔ３には、最も上位にあるＬＥＤユニットＢ９が点灯し、全点灯の状態となる。点灯継続時間Ｔｃｏの間、この全点灯の状態が維持される。そして、時刻ｔ４には、全てのＬＥＤユニットＢ１〜Ｂ９に接続された副制御部７２に対して主制御部７１から消灯の指令が送られる。ＬＥＤユニットＢ１〜Ｂ９の照度Ｌ１〜Ｌ９は、消灯時間ＴｏｆをかけてＬｍａｘから０へと低下する。そして、時刻ｔ５には全消灯の状態となる。
【００４２】
なお、通常モードにおいては、時刻ｔ１において検出信号Ｓ１が送られると、時刻ｔ５において全消灯となるまでの間は、タッチセンサ５Ａからの検出信号Ｓ１が入力されてもこれを無視するように設定されている。たとえば、時刻ｔ１の検出信号Ｓ１によってＬＥＤユニットＢ１〜Ｂ９が順次点灯している間の時刻ｔ２にあらためて検出信号Ｓ１が送られても、そのときの順次点灯制御を中止することなく継続する。
【００４３】
図６は、通常モードにおける他の点灯制御例を示している。本図に示された例においては、階段Ｓｔを昇ろうとする人が最下段側にやってきた後に、階段Ｓｔを降りようとする人が最上段側にやってきたケースの点灯制御を示している。このケースにおいては、時刻ｔ１において検出信号Ｓ１が送られると、上述した要領にしたがってＬＥＤユニットＢ１から順次点灯制御が行われる。
【００４４】
一方、全点灯状態に至るまえの時点である時刻ｔ２において、最上段側の電極５１Ｂに人が触れると、検出信号Ｓ２が送られる。検出信号Ｓ２を受けると、主制御部７１は、順列の最上位にあるＬＥＤユニットＢ９から下位に向かって順次点灯を開始する。すなわち、階段Ｓｔの最下段側と最上段側とからやってくる２人の動きに合わせてＬＥＤユニットＢ１〜Ｂ９が両側から順次点灯していく。そして、時刻ｔ３において全点灯状態となる。こののちは、点灯継続時間Ｔｃｏが経過した後に、ＬＥＤユニットＢ１〜Ｂ９の消灯を一斉に開始し、消灯時間Ｔｏｆ後の時刻ｔ５に全消灯状態となる。
【００４５】
図７は、デモモードにおける点灯制御を示している。このモードは、たとえば住宅展示場や照明機器展示場などにおいて、順次点灯の様子を手短に繰り返し披露するときなどに用いられる。時刻ｔ１に検出信号Ｓ１が送られると、主制御部７１は、ＬＥＤユニットＢ１から順次点灯を開始させる。しかし、全点灯となる前の時刻ｔ２において再び検出信号Ｓ１が送られると、主制御部７１は、順次点灯制御を中止し、すべてのＬＥＤユニットＢ１〜Ｂ９を一旦消灯させる。そして、全消灯状態とした後に、ＬＥＤユニットＢ１から順次点灯を再開する。また、本図には示していないが、順次点灯の間に検出信号Ｓ２が送られた場合は、強制的な全消灯の後にＬＥＤユニットＢ９から順次点灯を開始する。
【００４６】
次に、ＬＥＤ照明装置Ａ１の作用について説明する。
【００４７】
本実施形態によれば、階段Ｓｔを昇降する人がやってきたときにのみ、ＬＥＤユニットＢ１〜Ｂ９を点灯させるため、階段Ｓｔを昇降する人がいない間は、複数のＬＥＤユニットＢ１〜Ｂ９を消灯状態としておくことができる。これにより、たとえば夕方から夜間にかけての比較的暗い時間帯に複数のＬＥＤユニットＢ１〜Ｂ９を常時点灯させておく必要がない。したがって、階段Ｓｔを昇降する人が誤って転倒しないように適切に階段Ｓｔを照らしつつ、エネルギー消費を削減することができる。
【００４８】
階段Ｓｔを昇降する人がタッチセンサ５Ａ，５Ｂに触れると、ＬＥＤユニットＢ１〜Ｂ９のうち、その人に近いところにあるものから順に点灯する。これにより、たとえば階段Ｓｔを人が昇り始めたときに、いまだ人が接近していない最上段の踏板Ｐｓを不必要に照らしてしまうことを回避可能である。これは、エネルギー消費のさらなる削減に適している。
【００４９】
図６を参照して説明した点灯制御例のように、階段Ｓｔの最下段側および最上段側のいずれからも人がやってきた場合であっても、それぞれの足元にある踏板Ｐｓおよび蹴込板Ｐｋを適切に照らすことができる。また、図５に示した点灯制御例のように、すでに階段Ｓｔを人が昇っているときに、後から階段Ｓｔを昇ろうとする人が現れても、時刻ｔ２における検出信号Ｓ１を無視することにより、先行して階段Ｓｔを昇っている人の足元が不当に暗くなってしまうといった不具合は発生しない。また、すでに点灯したＬＥＤユニットＢ１〜Ｂ９を全点灯となるまで点灯を維持することにより、後から階段Ｓｔを昇ろうとしている人の足元を適切に照らすことができる。
【００５０】
図７に示したデモモードを備えることにより、住宅展示場などにおいて比較的大勢の来場者がＬＥＤ照明システムＡ１の点灯制御の内容を望まれる程度に理解した時点で、点灯制御を中断することができる。これにより、一連の点灯制御が終了するまで多数の来場者をいたずらに待たせてしまうことを回避することができる。
【００５１】
点灯時間Ｔｏｎを調整可能であることにより、突然点灯するといった突飛な印象を与えることを回避しつつ、最大照度Ｌｍａｘにいたるまで不必要に長い時間を掛けてしまうことを防止することができる。点灯間隔時間Ｔｉｎを調節可能であることにより、そのＬＥＤ照明システムＡ１を使用する人の移動する速度にあわせて順次点灯させることができる。点灯継続時間Ｔｃｏを調節可能であることにより、使用する人が階段Ｓｔなどにおける移動を終えるまでの間適切に点灯させておくことができる。消灯時間Ｔｏｆを調節可能であることにより、突然消灯してしまうといった突飛な印象を与えることを回避することができる。最大照度Ｌｍａｘである。点灯時間Ｔｏｎは、照度Ｌ１〜Ｌ９が０から最大照度Ｌｍａｘになるまでの時間である。最大照度Ｌｍａｘを調節可能であることにより、ＬＥＤ照明システムＡ１全体によって照らす明るさを使用者の好みに合わせることができる。
【００５２】
図８〜図９は、本発明の他の実施形態を示している。なお、これらの図において、上記実施形態と同一または類似の要素には、上記実施形態と同一の符号を付している。
【００５３】
図８は、本発明の第２実施形態に基づくＬＥＤ照明システムを示している。本実施形態のＬＥＤ照明システムＡ２は、タッチセンサ５Ｃをさらに備える点が上述した実施形態と異なっている。タッチセンサ５Ｃは、コネクタ７３を介して主制御部７１に接続されている。タッチセンサ５Ｃの電極５１Ｃは、たとえば手すりＨｒの下端に電極５１Ａが、手すりＨｒの上端に電極５１Ｂが、それぞれ取り付けられた階段Ｓｔにおいて、その踊り場付近の手すりＨｒに取り付けられる。
【００５４】
このような構成により、コントローラ７は、階段Ｓｔを昇降する人が、階段Ｓｔの最下段側および最上段側に位置することだけでなく、階段Ｓｔのなかほどに到達したことを認識することができる。これにより、ＬＥＤユニットＢ１〜Ｂ９の順次点灯の度合いを人の動きに合わせて早めたり遅くしたりするといった調節をさらに行うことができる。
【００５５】
図９は、本発明の第３実施形態に基づくＬＥＤ照明システムを示している。本実施形態のＬＥＤ照明システムＡ３は、タッチセンサ５Ｃの検出信号を主制御部７１へと伝送する無線ユニット６Ａ，６Ｂを備える点が、上述した実施形態と異なっている。無線ユニット６Ａ，６Ｂは、たとえば２．４ＧＨｚ帯の無線通信を行う無線通信デバイスであり、たとえばＩＥＥＥ８０２．１５．４規格にしたがった物理層を有する。無線ユニット６Ａは、主制御部７１に接続されており、いわゆる親機としての機能を果たす。無線ユニット６Ｂは、タッチセンサ５Ｃに接続されており、いわゆる子機としての役割を果たす。
【００５６】
このような構成によれば、タッチセンサ５Ｃをコントローラ７あるいは階段Ｓｔから比較的はなれた箇所に設けることが可能である。たとえば住居における玄関や階段Ｓｔへとつながる廊下にタッチセンサ５Ｃを設置すれば、階段Ｓｔの間近に人がやってくるに先立って、タッチセンサ５Ｃからの検出信号により、ＬＥＤユニットＢ１〜Ｂ９のすべて、あるいはいずれかを微点灯状態とするといった制御が可能となる。
【００５７】
本発明に係るＬＥＤ照明システムは、上述した実施形態に限定されるものではない。本発明に係るＬＥＤ照明システムの各部の具体的な構成は、種々に設計変更自在である。
【００５８】
ＬＥＤユニットＢ１〜Ｂ９を階段Ｓｔの複数の踏板Ｐｓに設置する順序は、上述した実施形態における順序に限定されない。上述した実施形態とは逆に、ＬＥＤユニットＢ１を最上段の踏板Ｐｓに設置し、ＬＥＤユニットＢ９を最下段の踏板Ｐｓに設置する順序としてもよい。
【００５９】
人の往来を検出するセンサとしては、上述したタッチセンサ５Ａ〜５Ｃに限定されず、たとえば光電式センサなど人の存在を適切に検知しうる手段であればよい。本発明にかかるＬＥＤ照明システムは、階段の照明に適しているが、その用途はこれに限定されず、スロープや歩道の照明など、人に代表される移動物の往来に応じて複数のＬＥＤユニット（ユニットグループ）を順次点灯制御することにより対象領域を照らす、様々な用途に用いることができる。
【符号の説明】
【００６０】
Ａ１〜Ａ３  ＬＥＤ照明システム
Ｂ１〜Ｂ９  ＬＥＤユニット
Ｈｒ    手すり
Ｌ１〜Ｌ９  照度
Ｐｋ    蹴込板
Ｐｓ    踏板
Ｓ１，Ｓ２  センサ出力信号（検出信号）
Ｓｔ    階段
１      ケース
２      基板
３      ＬＥＤモジュール
４      拡散板
５Ａ，５Ｂ，５Ｃ  タッチセンサ
６Ａ，６Ｂ      無線ユニット
７      コントローラ
５１Ａ，５１Ｂ，５１Ｃ  電極
７１    主制御部
７２    副制御部
７３    コネクタ
【図１】
0005396666.tif 000002
【図２】
0005396666.tif 000003
【図３】
0005396666.tif 000004
【図４】
0005396666.tif 000005
【図５】
0005396666.tif 000006
【図６】
0005396666.tif 000007
【図７】
0005396666.tif 000008
【図８】
0005396666.tif 000009
【図９】
0005396666.tif 000010
【図１０】
0005396666.tif 000011